(57)【要約】【課題】袋を開口状態でしっかり保持して、かつ簡単に取付け取り外しができるようにすることを課題とする。【解決手段】嵌合凹部を有する第１の環状枠体２と、該嵌合凹部２に嵌合する嵌合凸部３１を有する第２の環状枠体３とからなり、袋開口部周縁を該第１の環状枠体２の嵌合凹部と第２の環状枠体３の嵌合凸部３１とで挟持することによって、袋を開口状態で該一対の環状枠体２，３によって保持する袋保持具１を提供する。第２の環状枠体３の内側に袋開口端部を通し、該開口部の周縁を第２の環状枠体３の外側に折り返す。この状態で第１の環状枠体２の嵌合凹部を該袋の折り返し部を介して第２の環状枠体３の嵌合凸部３１に嵌合する。【選択図】　　図１
2004075352.tif 000002
【特許請求の範囲】
【請求項１】
嵌合凹部を有する第１の環状枠体と、該嵌合凹部に嵌合する嵌合凸部を有する第２の環状枠体とからなり、袋開口部周縁を該第１の環状枠体の嵌合凹部と第２の環状枠体の嵌合凸部とで挟持することによって、袋を開口状態で該一対の環状枠体によって保持することを特徴とする袋保持具。
【請求項２】
該一対の環状枠体の一方または両方には掛止具が取り付けられている請求項１に記載の袋保持具。
【請求項３】
該袋はゴミ袋である請求項１または２に記載の袋保持具。
【請求項４】
該第１の環状枠体および／または第２の環状枠体には該袋に入れられる内容物の種類を識別する標識が付されている請求項１〜３に記載の袋保持具。
【発明の詳細な説明】
【０００１】
【発明の属する技術分野】
本発明は主としてゴミ袋に適用される袋の保持具に関するものである。
【０００２】
【従来の技術】
従来、図１４に示すようにゴミ容器（９）　内にゴミ袋（４）　を入れ、該袋（４）　の開口部の周縁を折り返して、該折り返し部（４１）を該ゴミ容器（９）　の上端縁に引掛けてゴミ袋（４）　を開口状態で保持したり、さらに該ゴミ容器（９）　に蓋（９１）をかぶせて、該ゴミ容器（９）　上端縁と蓋（９１）の内側により該折り返し部（４１）を挟持固定していた。
【０００３】
【発明が解決しようとする課題】
しかし、ゴミ容器（９）　は場所をとるので設置スペースを確保しなければならないという問題点があった。
またゴミ袋（４）　は薄く柔軟なプラスチックシートからなり、折り返し部（４１）がゴミ容器（９）　の上端縁からはずれ易く、ゴミ袋（４）　を開口状態で保持することは困難であった。
【０００４】
【課題を解決するための手段】
本発明は上記従来の課題を解決するための手段として、嵌合凹部（２１）を有する第１の環状枠体（２）　と、該嵌合凹部（２）　に嵌合する嵌合凸部（３１）を有する第２の環状枠体（３）　とからなり、袋（４）　開口部周縁を該第１の環状枠体（２）　の嵌合凹部（２１）と第２の環状枠体（３）　の嵌合凸部（３１）とで挟持することによって、袋（４）　を開口状態で該一対の環状枠体（２，３）　によって保持する袋保持具（１）　を提供するものである。
該一対の環状枠体（２，３）　の一方または両方には掛止具（２２）が取り付けられていることが望ましい。
該袋保持具（１）　は主としてゴミ袋（４）　の保持に利用され、該第１の環状枠体（２）　および／または第２の環状枠体（３）　には該袋（４）　に入れられる内容物の種類を識別する標識が付されていることが望ましい。
【０００５】
【作用】
本発明の袋保持具（１）　の第２の環状枠体（３）　の内側に袋（４）　開口端部を通し、該開口部の周縁を第２の環状枠体（３）　の外側に折り返す。この状態で第１の環状枠体（２）　の嵌合凹部（２１）を該袋（４）　の折り返し部（４１）を介して第２の環状枠体（３）　の嵌合凸部（３１）に嵌合する。
このようにして本発明の袋保持具（１）　は袋（４）　を開口状態で保持する。
【０００６】
袋（４）　に取り付けた袋保持具（１）　を所定の場所に掛止具（２２）を介して引っ掛けておけば、ゴミ容器（９）　を使用することなく、袋（４）　を開口状態で吊り下げることができる。
該第１の環状枠体（２）　および／または第２の環状枠体（３）　には該袋（４）　に入れられる内容物の種類を識別する標識が付されていると、分別して袋（４）　に入れることが誰にでもできる。
なお本発明において環状とは中央部に孔が形成された枠形状をいい、その形状は円形の他、多角形状等いかなる形状であってもよいものとする。
【０００７】
【発明の実施の形態】
本発明を一実施例によって説明すれば、図１に示す袋保持具（１）　は、所定の色が付された第１の環状枠体（２）　と該第１の環状枠体（２）　に嵌着される第２の環状枠体（３）　とからなる。図２および図３に示すように第１の環状枠体（２）　は下面に嵌合凹部（２１）が形成された断面凹形であり、側部周面の所定箇所には掛止具（２２）が取り付けられている。
【０００８】
図４および５に示すように第２の環状枠体（３）　は断面長方形のリング部材であり、該枠体（３）　の上部は第１の環状枠体（２）　の嵌合凹部（２１）に嵌合する嵌合凸部（３１）を形成している。図６に示すように該環状枠体（３）　の高さｈは該嵌合凹部（２１）の深さｄより大きく設定されており、該環状枠体（３）　の下部を手で持って該枠体（３）　の嵌合および脱着ができるようにされている。
【０００９】
該袋保持具（１）　は例えば熱可塑性樹脂等のプラスチックにより製造されるが、木や金属等で製造されてもよい。
該第１の環状枠体および／または第２の環状枠体には所定の色が付されているので、その色により該袋保持具に保持された袋（４）　に入れられる内容物の種類を識別することができる。
【００１０】
本実施例の袋保持具（１）　にプラスチック袋（４）　を装着して例えばゴミ入れとして使用するには、図７に示すようにプラスチック袋（４）　の開口部を第２の環状枠体（３）　の内側に挿通して、袋（４）　の開口部の周端縁を折り返し（図中矢印に示す）、第２の環状枠体（３）　にかぶせる。この状態で第２の環状枠体（３）　の嵌合凸部（３１）を第１の環状枠体（２）　の嵌合凹部（２１）に嵌合させ、該プラスチック袋（４）　を嵌合凹部（２１）と嵌合凸部（３１）とにより挟持固定する。このとき該プラスチック袋（４）　は、環状枠体（２，３）　により開口状態に保たれる。
【００１１】
こうしてプラスチック袋（４）　を袋保持具（１）　に装着したら、第１の環状枠体（２）　に取り付けられている掛止具（２２）を、家具や椅子、その他の備品の突起部や凸部または壁や柱に設けられたフック（５１）等に引っ掛けて設置する。
【００１２】
図９に示すように該掛止具（２２）は環状枠体（２）　の側面の一端に取り付けられているので、該袋保持具（１）　を掛止具（２２）により設置したとき、該袋保持具（１）　は自重により鉛直になる。該袋保持具（１）　が鉛直になると、環状枠体（３）　の下面はプラスチック袋（４）　の内面に当接してプラスチック袋（４）　の開口部は自然に閉鎖される。
【００１３】
したがって、該袋保持具（１）　をゴミ入れとして使用したときゴミＧがプラスチック袋（４）　に溜まってきても、異臭が外部に漏れることがない。ゴミＧを捨てるときは該環状枠体（２，３）　の掛止具（２２）の反対側を手で持ち上げればプラスチック袋（４）　は用意に開口状態になり、ゴミＧを捨てることができる。
【００１４】
ゴミＧがいっぱいになったら、袋保持具（１）　をフック（５１）から外して、第１の環状枠体（２）　と第２の環状枠体（３）　の下部を手で持って、嵌合凹部（２１）から嵌合凸部（３１）を脱着して袋（４）　を取り外し、他のプラスチック袋（４）　を装着する。
【００１５】
図１０には本発明の他の実施例を示す。図１０に示す袋保持具（６）　は、所定の色が付された角額縁状の第１の環状枠体（７）　と第１の環状枠体（７）　に嵌着される第２の環状枠体（８）　とからなる。図１１に示すように第１の環状枠体（７）　の下面の４箇所には断面凹形の嵌合凹部（７１）が形成され、図１２に示すように第１の環状枠体（７）　の側部の所定箇所には鉤形の掛止具（７２）が取り付けられている。
【００１６】
第２の環状枠体（８）　は第１の環状枠体（７）　と同一の大きさの角額縁状であり、第１の環状枠体（７）　の嵌合凹部（７１）に嵌合する４個の嵌合凸部（８１）が設けられている。
【００１７】
本実施例の袋保持具（６）　にプラスチック袋（４）　を装着してゴミ入れとして使用するには、プラスチック袋（４）　の開口部を第２の環状枠体（８）　の枠内に挿通して、該開口部の周端縁を折り返して、第２の環状枠体（８）　にかぶせる。この状態で第２の環状枠体（８）　の嵌合凸部（８１）を第１の環状枠体（７）　の嵌合凹部（７１）に嵌合する。このようにして該プラスチック袋（４）　は嵌合凹部（７１）と嵌合凸部（８１）とにより挟持固定される。したがってプラスチック袋（４）　は袋保持具（６）　にしっかりと保持され、さらに該プラスチック袋（４）　の開口部は、環状枠体（７，８）　により開口状態に保たれる。
【００１８】
こうしてプラスチック袋（４）　を袋保持具（６）　に装着したら、図１３に示すように第１の環状枠体（７）　に取り付けられている掛止具（７２）を、家具や椅子、その他の備品の凸部（５２）等に掛けて設置する。該掛止具（７２）は鉤状であり、該袋保持具（１）　を掛止具（７２）により設置したとき、該掛止部（７２）と環状枠体（７）　の側壁が凸部（５２）を挟持して該袋保持具（６）　を水平状態に保持する。したがって、プラスチック袋（４）　は常時開口状態を保ち、ゴミＧをより容易に捨てることができる。
【００１９】
本発明において、掛止手段は必ずしも必要ではなく、例えばレジ袋等のように把手付きの袋を使用すれば、把手を家具等の突起部に掛けて設置してもよいし、また自体を家具等の突起部に掛止させてもよい。
また環状枠体の大きさ、形状は開口部を有する限りどのような形状であってもよいし、環状枠体に装飾を施してもよい。
また環状枠体に色を付すかわりに、例えば下げ札やシール等を付して袋に入れられるゴミの種類を識別する標識としてもよい。
【００２０】
【発明の効果】
本発明の袋保持具によれば、簡単に袋を取付け取り外しでき、保持力が高い。また家具や柱などに簡単に掛けて使用でき、設置スペースもとらない。また本発明の袋保持具はかさばらないので携帯にも適している。
またレジ袋等を本発明の袋保持具によりゴミ袋として使用すれば資源の再利用ができ、環状枠体に識別標識が付されていると袋に入れられる内容物の分別収集が容易にできる。
【図面の簡単な説明】
図１〜図９は本発明の第１実施例を示すものである。
【図１】斜視図
【図２】第１の環状枠体下面図
【図３】第１の環状枠体縦断面図
【図４】第２の環状枠体平面図
【図５】第２の環状枠体縦断面図
【図６】嵌合状態縦断面図
【図７】袋取付け方法説明斜視図
【図８】袋保持状態斜視図
【図９】掛止状態側面図図１０〜図１３は本発明の他の実施例を示すものである。
【図１０】斜視図
【図１１】第１の環状枠体下面図
【図１２】第１の環状枠体側面図
【図１３】掛止状態側面図
【図１４】従来例の斜視図
【符号の説明】
１　　　　　袋保持具
２，３　　　　環状枠体
４　　　　　袋
２１　　　　嵌合凹部
２２　　　　掛止具
３１　　　　　　嵌合凸部
Ｇ　　　　　　　ゴミ
【図１】
2004075352.tif 000003
【図２】
2004075352.tif 000004
【図３】
2004075352.tif 000005
【図４】
2004075352.tif 000006
【図５】
2004075352.tif 000007
【図６】
2004075352.tif 000008
【図７】
2004075352.tif 000009
【図８】
2004075352.tif 000010
【図９】
2004075352.tif 000011
【図１０】
2004075352.tif 000012
【図１１】
2004075352.tif 000013
【図１２】
2004075352.tif 000014
【図１３】
2004075352.tif 000015
【図１４】
2004075352.tif 000016